(57)【特許請求の範囲】
【請求項１】
予め定める地域への訪問回数および訪問頻度のうちの少なくとも一方である訪問度合を入力する訪問度合入力手段と、
前記地域内にある予め定める複数の目的地のうちの少なくとも１つをそれぞれ示す複数の旅行情報と、前記複数の旅行情報の良否をそれぞれ示す複数の良否情報とが、相互に対応付けられて記憶される検索用記憶手段と、
前記訪問度合入力手段により入力された前記訪問度合が所定より大きな場合、前記複数の旅行情報から前記良否情報の良の度合が大きく、かつ前記良否情報の総数であるサンプル数が所定値以下の少なくとも１つの旅行情報を優先に検索する旅行情報検索手段と、
前記旅行情報検索手段により検索された旅行情報を出力する旅行情報出力手段とを含むことを特徴とする旅行計画装置。
【請求項２】
前記各良否情報は、前記旅行情報出力手段から出力された旅行情報に基づいて過去に行われた複数の旅行の良否の集計結果であることを特徴とする請求項１記載の旅行計画装置。
【請求項３】
前記地域は、予め定める複数の小地域から構成され、前記複数の旅行情報は、前記複数の小地域のうちの該旅行情報が示す目的地があるいずれか１つの小地域を示す地域情報を、それぞれさらに含むことを特徴とする請求項１記載の旅行計画装置。
【請求項４】
前記訪問度合入力手段は、さらに、前記複数の小地域のうちの旅行しようとする小地域を入力し、
前記旅行情報検索手段は、前記検索用記憶手段に記憶された前記複数の旅行情報のうちから、入力された前記小地域を示す地域情報を含む全ての旅行情報を検索し、検索された全ての旅行情報から前記少なくとも１つの旅行情報を検索することを特徴とする請求項３記載の旅行計画装置。
【請求項５】
前記複数の旅行情報は、該旅行情報が示す目的地に滞在すると予想される滞在時間を、それぞれさらに示すことを特徴とする請求項１記載の旅行計画装置。
【請求項６】
前記複数の旅行情報は、該旅行情報が示す目的地の位置を、それぞれさらに示すことを特徴とする請求項１記載の旅行計画装置。
【請求項７】
前記複数の旅行情報は、該旅行情報が示す目的地に滞在すると予想される滞在時間と、該目的地の位置とを、それぞれさらに示し、
前記訪問度合入力手段は、旅行の出発地の位置と旅行期間とをさらに入力し、
前記旅行情報検索手段は、さらに、前記検索された全ての旅行情報それぞれについて、該旅行情報が示す目的地と前記出発地との間の移動に要する移動時間を前記目的地および出発地の位置に基づいて算出し、前記検索された全ての旅行情報のうちで、前記移動時間に該旅行情報に含まれる前記滞在時間を加えた時間が前記旅行期間内に収まる旅行情報だけを、前記旅行情報出力手段に与えることを特徴とする請求項１記載の旅行計画装置。
【請求項８】
前記検索用記憶手段は、
前記複数の旅行情報と、前記複数の旅行情報を識別するための複数の識別情報とが、相互に対応づけられて記憶される旅行情報記憶手段と、
前記複数の旅行情報の良否情報が、前記複数の識別情報にそれぞれ対応付けられて記憶される良否情報記憶手段とを含むことを特徴とする請求項１記載の旅行計画装置。
【請求項９】
前記旅行情報出力手段から出力された旅行情報に基づいて行われた旅行の良否を入力する旅行良否入力手段と、
入力された旅行の良否を集計し、旅行の良否の集計結果に基づき、前記旅行情報出力手段から出力された前記旅行情報の良否情報を更新する良否情報更新手段とをさらに含むことを特徴とする請求項１記載の旅行計画装置。
【請求項１０】
前記旅行良否入力手段は、前記旅行の良否と共に、該旅行中の天候の良否をさらに入力し、
前記良否情報更新手段は、前記旅行中の天候が良好であると入力された場合に、共に入力された旅行の良否だけを集計することを特徴とする請求項９記載の旅行計画装置。
【請求項１１】
予め定める地域への訪問回数および訪問頻度のうちの少なくとも一方である訪問度合を入力する訪問度合入力手段と、前記地域内にある予め定める複数の目的地のうちの少なくとも１つをそれぞれ示す複数の旅行情報を出力可能な旅行情報出力手段とを含む旅行情報提供用端末装置と組合わせて用いられ、前記訪問度合入力手段から入力された訪問度合が与えられる旅行情報提供装置であって、
前記複数の旅行情報と、前記複数の旅行情報の良否をそれぞれ示す複数の良否情報とが、相互に対応付けられて記憶される検索用記憶手段と、
前記訪問度合入力手段により入力された前記訪問度合が所定より大きな場合、前記複数の旅行情報から前記良否情報の良の度合が大きく、かつ前記良否情報の総数であるサンプル数が所定値以下の旅行情報を優先に検索する旅行情報検索手段と、
前記旅行情報検索手段により検索された旅行情報を、前記旅行情報出力手段に与えて出力させる旅行情報供給手段とを含むことを特徴とする旅行情報提供装置。
【発明の詳細な説明】
【０００１】
【発明が属する技術分野】
本発明は、操作者が指定した地域への旅行計画を自動的に立案するために、旅行情報を提供する旅行計画装置、旅行情報提供装置、および旅行情報提供用端末装置に関する。
【０００２】
【従来の技術】
従来、旅行計画の立案を補助するために、旅行に関する旅行情報を提供する旅行計画装置が提案されている。前記旅行計画装置は、旅行に関する旅行情報の提供元となる情報センターと、該情報センターと電話回線等を介して接続された車載端末とから構成される。前記旅行情報は、基本的に１または複数の目的地を示し、さらに、該目的地の位置、該旅行者が目的地に滞在する平均的な時間、および該目的地で必要な費用も示す。前記旅行計画装置に旅行情報を提供するには、まず、操作者が車載端末から旅行に関する各種の条件を入力して、前記車載端末から前記情報センターに与える。前記条件は、たとえば、旅行に要する時間および費用、旅行距離、ならびに旅行に行くグループの人員構成を含む。前記情報センターは、複数の前記旅行情報を予めデータベースに記憶しており、これら旅行情報のうちから与えられた条件に合った旅行情報を検索して、検索された旅行情報を前記車載端末に与える。この結果、操作者が望む旅行情報が、操作者に提供される。
【０００３】
前記旅行計画装置の従来技術の１つとして、特開平９−２１８６４３号公報の旅行計画出力装置が挙げられる。前記旅行計画出力装置は、車載される端末装置と組合わされて、前述の旅行計画装置を構成する。前記旅行計画出力装置は、データベースとして、人的情報にそれぞれ対応する複数の旅行計画を予め記憶しており、さらに、各旅行計画毎に、その旅行計画が過去に採用された回数も記憶している。前記旅行計画は、前記旅行情報に相当し、１または複数の目的地を示す。人的情報は、旅行者の人数と、旅行者それぞれの性別および年令とを含む。
【０００４】
前記旅行計画出力装置に旅行計画を提供させるには、まず、操作者が、車載の端末装置に旅行の目的地と旅行者の人的情報とを入力する。前記目的地と前記人的情報とは、前記端末装置から、前記旅行計画出力装置、すなわち情報センタに与えられる。前記旅行計画出力装置は、前記データベースから、与えられた前記目的地および前記人的情報に適合する旅行計画を、検索する。このように検索された旅行計画が、前記旅行計画出力装置から前記端末装置に与えられて、操作者に提示される。前記適合する旅行計画が複数ある場合、複数の適合する旅行計画のうちで、過去に採用された回数が多いものまたは少ないものが、優先的に、操作者に提示される。
【０００５】
【発明が解決しようとする課題】
前述の旅行計画出力装置は、与えられた目的地および人的情報に適合する旅行計画が複数ある場合、該複数の旅行計画を、過去に採用された回数の多いものまたは少ないものから、優先的に提示する。このため、家族や定まったグループで特定の１つの地域を頻繁に訪れる者が、前記旅行計画出力装置に複数回旅行計画を提供させる場合、各回で前記旅行計画装置に与える目的地が相互に近くなり、また、各回で前記旅行計画装置に与える人的情報が相互に類似する。このため、各回それぞれにおいて、前記旅行計画出力装置は、常に同じ旅行計画を優先的に提供する。この結果、提供される全ての旅行計画を操作者がさらに検索して、前回の検索時と異なる旅行計画を選択しなければならなくなるので、操作者の操作の手間が増える。
【０００６】
また、前記旅行計画出力装置が、過去に採用された回数の多いものを優先して提示し、さらに、１つの目的地に関する複数の旅行計画を記憶している場合、最初にいずれか１つの旅行計画が優先して出力されると、該いずれか１つの旅行計画の採用された回数が、前記複数の旅行計画のうちの前記いずれか１つの旅行計画以外の他の旅行計画よりも増える。この結果、与えられる目的地および人的情報が常に等しいならば、複数回前記検索を行うと、常に、前記いずれか１つの旅行計画が優先して提示される。この結果、前記他の旅行計画の検索回数が増加しないので、前記他の旅行計画が優先的に提示されなくなるため、前記他の旅行計画を提示させるのに手間がかかる。
【０００７】
さらに、一般的に、前記旅行計画出力装置の操作者は、優先的に提示された旅行計画が、前記適合する複数の旅行計画のうちで最も満足のいく旅行計画であると信じて採用することが多い。しかしながら、最も優先的に提示される旅行計画は、過去に採用された回数が多い旅行計画であるだけなので、必ずしも旅行者の要望に適した旅行計画であるとは限らない。
【０００８】
本発明の目的は、旅行者の設定する条件および旅行者からの要望に最も適した旅行情報を、長期にわたり、操作者に検索の手間をかけることなく、常に容易に提供することができる旅行計画装置、ならびに旅行情報提供装置および旅行情報提供用端末装置を提供することである。
【００１３】
【課題を解決するための手段】
第１の発明は、予め定める地域への訪問回数および訪問頻度のうちの少なくとも一方である訪問度合を入力する訪問度合入力手段と、
前記地域内にある予め定める複数の目的地のうちの少なくとも１つをそれぞれ示す複数の旅行情報と、前記複数の旅行情報の良否をそれぞれ示す複数の良否情報とが、相互に対応付けられて記憶される検索用記憶手段と、
前記訪問度合入力手段により入力された前記訪問度合が所定より大きな場合、前記複数の旅行情報から前記良否情報の良の度合が大きく、かつ前記良否情報の総数であるサンプル数が所定値以下の少なくとも１つの旅行情報を優先に検索する旅行情報検索手段と、
前記旅行情報検索手段により検索された旅行情報を出力する旅行情報出力手段とを含むことを特徴とする旅行計画装置である。
【００１４】
第１の発明に従えば、旅行計画装置は、上述の構成になっている。このため、旅行計画装置の操作者が、旅行者の前記地域への訪問頻度を入力するだけで、前記旅行計画装置は、訪問度合入力手段によって入力された訪問度合が所定より大きな場合に、旅行情報検索手段によって複数の旅行情報から良否情報の良の度合が大きく、かつ良否情報の総数であるサンプル数が所定値以下の少なくとも１つの旅行情報を優先に検索して出力する。さらに、出力される旅行情報の検索手順は、前記訪問度合に応じて定められるので、旅行者が前記地域を繰返し訪問しており、訪問するたびに事前に前記旅行計画装置に旅行情報を出力させている場合、訪問度合に応じて検索手順が変わるので、出力される旅行情報も変わる。この結果、前記旅行計画装置は、操作者の前記地域への訪問度合に応じて、旅行者に最も適した旅行情報を、操作者の検索の手間を簡単にしつつ、常に容易に提供することができ、かつ、この状態を長期にわたって保つことができる。
【００１９】
第２の発明の旅行計画装置は、前記各良否情報は、前記旅行情報出力手段から出力された旅行情報に基づいて過去に行われた複数の旅行の良否の集計結果であることを特徴とする。
【００２０】
第２の発明に従えば、前記旅行計画装置は、前記良否情報を上述のように定める。この結果、前記旅行情報計画装置は、過去に行われた実際の旅行の良否結果と前記訪問度合とに応じて、出力するべき旅行情報を選ぶことが容易にできる。
【００２１】
第３の発明の旅行計画装置は、前記地域は、予め定める複数の小地域から構成され、前記複数の旅行情報は、前記複数の小地域のうちの該旅行情報が示す目的地があるいずれか１つの小地域を示す地域情報を、それぞれさらに含むことを特徴とする。
【００２２】
第３の発明に従えば、前記旅行計画装置内の全ての旅行情報は、前記地域情報をそれぞれ含んでいる。この結果、前記旅行計画装置は、目的地がある小地域を考慮して、出力するべき旅行情報を選ぶことができる。
【００２３】
第４の発明の旅行計画装置は、前記訪問度合入力手段は、さらに、前記複数の小地域のうちの旅行しようとする小地域を入力し、前記旅行情報検索手段は、前記検索用記憶手段に記憶された前記複数の旅行情報のうちから、入力された前記小地域を示す地域情報を含む全ての旅行情報を検索し、検索された全ての旅行情報から前記少なくとも１つの旅行情報を検索することを特徴とする。
【００２４】
第４の発明に従えば、前記旅行計画装置は、上述の構成になっている。この結果、前記旅行計画装置は、出力するべき旅行情報を、旅行者が旅行しようとしている小地域内にある目的地を示す旅行情報に、限定することができる。ゆえに、前記小地域への旅行計画を立てる際の操作者の手間が簡略化される。
【００２５】
第５の発明の旅行計画装置は、前記複数の旅行情報は、該旅行情報が示す目的地に滞在すると予想される滞在時間を、それぞれさらに示すことを特徴とする。
【００２６】
第５の発明に従えば、前記旅行計画装置内の全ての旅行情報は、前記滞在時間をそれぞれ含む。このため、前記旅行計画装置は、前記滞在時間をさらに考慮して、出力するべき旅行情報を選ぶことができる。
【００２７】
第６の発明の旅行計画装置は、前記複数の旅行情報は、該旅行情報が示す目的地の位置を、それぞれさらに示すことを特徴とする。
【００２８】
第６の発明に従えば、前記旅行計画装置内の全ての旅行情報は、前記目的地の位置、たとえば目的地の緯度経度をそれぞれ含む。このため、前記旅行計画装置は、前記目的地の位置をさらに考慮して、出力するべき旅行情報を選ぶことができる。
【００２９】
第７の発明の旅行計画装置は、前記複数の旅行情報は、該旅行情報が示す目的地に滞在すると予想される滞在時間と、該目的地の位置とを、それぞれさらに示し、前記訪問度合入力手段は、旅行の出発地の位置と旅行期間とをさらに入力し、前記旅行情報検索手段は、さらに、前記検索された全ての旅行情報それぞれについて、該旅行情報が示す目的地と前記出発地との間の移動に要する移動時間を前記目的地および出発地の位置に基づいて算出し、前記検索された全ての旅行情報のうちで、前記移動時間に該旅行情報に含まれる前記滞在時間を加えた時間が前記旅行期間内に収まる旅行情報だけを、前記旅行情報出力手段に与えることを特徴とする。
【００３０】
第７の発明に従えば、前記旅行計画装置は、上述の構成になっている。このため、前記旅行計画装置は、出力するべき前記少なくとも１つの旅行情報のうち、前記移動時間と前記滞在時間との和の時間が前記旅行期間以下になるものだけを、出力する。この結果、出力される旅行情報を、前記旅行期間に応じて限定することができる。
【００３３】
第８の発明の旅行計画装置は、前記検索用記憶手段は、前記複数の旅行情報と、前記複数の旅行情報を識別するための複数の識別情とが、相互に対応づけられて記憶される旅行情報記憶手段と、前記複数の旅行情報の良否情報が、前記複数の識別情報にそれぞれ対応付けられて記憶される良否情報記憶手段とを含むことを特徴とする。
【００３４】
第８の発明に従えば、前記旅行計画装置の検索用記憶手段は上述の構成になっている。このように旅行情報と良否情報とが別々の記憶手段にそれぞれ記憶されるので、検索用記憶手段の記憶内容の更新およびメンテナンスが容易になる。
【００３７】
第９の発明の旅行計画装置は、前記旅行情報出力手段から出力された旅行情報に基づいて行われた旅行の良否を入力する旅行良否入力手段と、入力された旅行の良否を集計し、旅行の良否の集計結果に基づき、前記旅行情報出力手段から出力された前記旅行情報の良否情報を更新する良否情報更新手段とをさらに含むことを特徴とする。
【００３８】
第９の発明に従えば、前記旅行計画装置は、上述の構成になっている。これによって、旅行者が、前記旅行計画装置が出力した旅行情報に基づいて旅行を行うたび、旅行後に前記良否情報が更新される。この結果、常に良否情報は、過去の旅行の良否を反映した最新のものになる。
【００３９】
第１０の発明の旅行計画装置は、前記旅行良否入力手段は、前記旅行の良否と共に、該旅行中の天候の良否をさらに入力し、前記良否情報更新手段は、前記旅行中の天候が良好であると入力された場合に、共に入力された旅行の良否だけを集計することを特徴とする。
【００４０】
第１０の発明に従えば、前記旅行計画装置は、上述の構成になっている。このように、旅行時の天候が悪かった場合には、該旅行の良否が旅行計画装置に与えられていても、それを前記良否情報の更新に用いない。これによって、前記良否情報は、前記旅行の良否を旅行者が定めた主要因が、前記出力された旅行情報が示す目的地自体にある場合だけ更新される。ゆえに、良否情報が旅行時の天候等に左右されることを、未然に防止することができる。
【００４５】
第１１の発明は、予め定める地域への訪問回数および訪問頻度のうちの少なくとも一方である訪問度合を入力する訪問度合入力手段と、前記地域内にある予め定める複数の目的地のうちの少なくとも１つをそれぞれ示す複数の旅行情報を出力可能な旅行情報出力手段とを含む旅行情報提供用端末装置と組合わせて用いられ、前記訪問度合入力手段から入力された訪問度合が与えられる旅行情報提供装置であって、
前記複数の旅行情報と、前記複数の旅行情報の良否をそれぞれ示す複数の良否情報とが、相互に対応付けられて記憶される検索用記憶手段と、
前記訪問度合入力手段により入力された前記訪問度合が所定より大きな場合、前記複数の旅行情報から前記良否情報の良の度合が大きく、かつ前記良否情報の総数であるサンプル数が所定値以下の旅行情報を優先に検索する旅行情報検索手段と、
前記旅行情報検索手段により検索された旅行情報を、前記旅行情報出力手段に与えて出力させる旅行情報供給手段とを含むことを特徴とする旅行情報提供装置である。
【００４６】
第１１の発明に従えば、前記旅行情報計画装置は、前記旅行情報提供用端末装置と組合わされて、第３の発明の旅行計画装置を構成するものである。前記旅行情報提供装置は、上述の構成になっている。このため、前記旅行情報提供用端末装置から前記訪問度合が入力されれば、前記旅行情報提供装置は、訪問度合入力手段によって入力された訪問度合が所定より大きな場合に、旅行情報検索手段によって複数の旅行情報から良否情報の良の度合が大きく、かつ良否情報の総数であるサンプル数が所定値以下の少なくとも１つの旅行情報を選んで、前記旅行情報提供用端末装置に与える。この結果、前記旅行情報提供装置は、長期にわたり、操作者の前記地域への訪問度合に応じて、操作者に最も適した旅行情報を、操作者の検索の手間を簡単にしつつ、常に容易に提供することができる。
【００５１】
図１は、本発明の実施の一形態である旅行計画装置１の電気的構成を示すブロック図である。旅行計画装置１は、旅行者が旅行しようとする地域への該旅行者の訪問度合に基づいて、前記地域への旅行計画を自動的に立案する。訪問度合とは、前記旅行者が前記地域を訪問した回数、および前記旅行者が前記地域を訪問した頻度のうちの少なくとも一方を指す。
【００５２】
旅行計画装置１は、１または複数の端末装置３と、少なくとも１つの提供装置４とを含む。端末装置３は、旅行計画装置１の不特定多数の操作者に個々に所有され、たとえば、操作者の家に設置されたり、操作者の車に搭載されたりしている。操作者自身が旅行者であっても良く、そうでなくとも良い。全ての提供装置４は、不特定多数の前記操作者に旅行に関する情報を提供するための情報センタに設置される。以後の説明では、旅行計画装置１は、１つの端末装置３と１つの提供装置４とを含むと仮定する。
【００５３】
端末装置３は、端末側入力装置１１と、ナビゲーション装置１２と、端末側制御装置１３と、端末側通信装置１４と、端末側出力装置１５とを含む。端末側出力装置１５は、端末側表示装置１７と、プリンタ１８とを含む。提供装置４は、提供側通信装置２１と、データベース部２２と、提供側制御装置２３と、提供側入力装置２４と、提供側表示装置２５とを含む。データベース部２２は、旅行情報データベース２７と、回数・頻度データベース２８と、良否情報データベース２９と、宿泊施設データベース３０とを含む。
【００５４】
端末側入力装置１１は、端末装置３および提供装置４への指示を、操作者に入力させる。端末側入力装置１１は、たとえば、テンキー、文字入力装置、すなわちキーボード、または画面入力装置によって構成される。画面入力装置は、表示部と指定部とを備え、表示部に表示された複数の選択肢のうちのいずれか１つを操作者に指定部を用いて指定させ、指定された選択肢に応じた情報を入力する。前記指定部は、表示部内に表示されたカーソルを動かす手段であってもよく、表示部に重ねられたいわゆるタッチパネルであってもよい。また、端末側表示装置１７が前記表示部を兼ねていてもよい。
【００５５】
ナビゲーション装置１２は、提供装置４から提供される旅行計画に拘わる地図を予め備える複数の地図の中から検索して、端末側表示装置１７に表示させる。またナビゲーション装置１２は、前記旅行計画に拘わる複数の地点間の経路を探索し、経路案内のために、探索した経路を端末側表示装置１７に表示させる。端末側表示装置１７は、さらにたとえば、旅行計画の立案のためにデータベース部２２を検索させるための検索条件の入力に拘わる入力画面と、提供装置４から提供される旅行計画を操作者に提示するための提示画面とを、表示する。プリンタ１８は、提供装置４から提供される旅行計画を、記録紙に印刷する。端末側制御装置１３は、端末装置３内の全ての装置１１，１２，１４，１５を制御する。
【００５６】
端末側通信装置１４および提供側通信装置２１は、提供装置４と端末装置３との間で、各種の情報を相互に送受するために用いられる。端末側および提供側通信装置１４，２１は、たとえば、無線機で実現されてもよく、電話機とモデムとを組合わせた装置で実現されてもよい。なお、端末装置３が車載されている場合、電話機として、携帯電話機が用いられることが好ましい。
【００５７】
データベース部２２は、概略的には、複数の旅行情報に、予め定める訪問度合別の検索順位をそれぞれ対応付け、さらに、前記旅行情報それぞれの良否を示す複数の良否情報を個別に対応付けて、記憶する。単一の旅行情報は、予め定める基本地域内にある１または複数の目的地を示す。単一の旅行情報が複数の目的地を示す場合、該旅行情報はさらに、複数の目的地を回る順番も示す。すなわち、前記場合、前記旅行情報は、複数の目的地を回るいわゆる旅行コースを示すようになっている。
【００５８】
提供側制御装置２３は、提供装置４内の全ての装置を制御する。提供側入力装置２４と提供側表示装置２５とは、たとえば提供装置４のデータベース部２２の保守のために、提供装置４の管理者が直接提供装置４を操作するために設けられる。提供側入力装置２４と提供側表示装置２５とは、省略されてもよい。
【００５９】
旅行計画装置１の概略的な動作は、以下のとおりである。まず、旅行計画装置１の操作者は、端末側入力装置１１を操作して、データベース部２２を検索するための検索条件として、予め定める基本地域内の、旅行者が旅行しようとする地域、すなわち旅行地域と、該旅行地域への旅行者の訪問度合とを入力する。端末側制御装置１３は、前記検索条件を、端末側通信装置１４から提供側通信装置２１へ送信させる。提供側制御装置２３は、データベース部２２を前記検索条件に基づいて検索する。提供側制御装置２３は、この結果得られた少なくとも１つの旅行情報に基づいて、少なくとも１つの旅行計画を立案し、立案した旅行計画を、提供側通信装置２１から端末側通信装置１４へ送信させる。端末側制御装置１３は、前記少なくとも１つの旅行計画を、端末側表示装置１７に表示する。
【００６０】
前記少なくとも１つの旅行計画が提示されると、操作者は、端末側入力装置１１を操作して、前記少なくとも１つの旅行計画のうちのいずれか１つを採用する。また、前記少なくとも１つの旅行計画のうちのいずれも採用しない場合もある。前記いずれか１つの旅行計画が採用された場合、端末側制御装置１３は、採用された旅行計画がどれであるかを示す情報を、端末側通信装置１４から提供側通信装置２１に送信させる。提供側制御装置２３は、前記情報に応答し、前記いずれか１つの旅行計画の立案に用いられた前記少なくとも１つの旅行情報の前記検索順位を更新する。端末側制御装置１３は、採用された前記旅行計画を、端末側表示装置１７に表示させるか、またはプリンタ１８によって記録紙に印刷させる。
【００６１】
さらに、旅行者が前記採用された旅行計画に基づいて旅行した後、操作者は、端末側入力装置１１を操作して、該旅行の良否を入力する。本実施形態では、旅行の良否は、「二重丸」，「丸」，「三角」，「ペケ」の４段階で示されると仮定する。「ペケ」，「三角」，「丸」，「二重丸」は、この順で後ろになるほど、旅行が良かったことを示す。端末側制御装置１３は、入力された旅行の良否を、端末側通信装置１４から提供側通信装置２１に送信させる。提供側制御装置２３は、与えられた前記旅行の良否に基づいて、前記いずれか１つの旅行計画を立案する際に用いた前記少なくとも１つの旅行情報の良否情報を更新する。以上が、旅行計画装置１の概略的な動作である。
【００６２】
【表１】
0004132236.tif 000002
【００６３】
表１は、旅行情報データベース２７を示す。旅行情報データベース２７は、複数の旅行情報と、複数の地域・情報コードとを対応付けて記憶する。単一の旅行情報は、情報種別と、所要時間と、費用と、目的地および行程情報と、位置情報とを含む。
【００６４】
地域・情報コードは、対応づけられた旅行情報を識別するための識別コードであり、さらに、該旅行情報が関係する地域も示す。具体的には、地域・情報コードは、９桁の数字から構成され、上位６桁が地域コードであり、下位３桁が情報コードである。地域コードは、対応する旅行情報が関係する地域を示す。情報コードは、単一地域に関する旅行情報が複数ある場合に該複数の旅行情報を区別するためのものである。
【００６５】
情報種別は、該情報種別を含む単一の旅行情報が、単一の目的地を示すか、旅行コースを示すかを区分するためのものである。所要時間は、該所要時間を含む旅行情報が示す目的地に滞在する平均的な時間である。費用は、該費用を含む旅行情報が示す目的地で必要な費用であり、たとえば、目的地にある建造物への入館料や使用料を含む。目的地・行程情報は、該情報を含む旅行情報が示す目的地が何であるかを示し、前記目的地が複数ある場合、複数の目的地を巡る順序も示される。位置情報は、該位置情報を含む単一の旅行情報が示す目的地の正確な位置を示す。前記位置は、たとえば緯度および経度の組合わせで、表される。情報種別が旅行コースである場合、前記位置情報は、少なくとも旅行コース内で最初に訪問するべき目的地と、最後に訪問するべき目的地との位置情報が解ればよい。
【００６６】
【表２】
0004132236.tif 000003
【００６７】
表２は、回数・頻度データベース２８を示す図である。回数・頻度データベース２８は、旅行情報データベース２７に記憶される複数の旅行情報の地域・情報コードそれぞれに、訪問度合に応じた検索順位が付加されている。本実施形態では、検索順位として、訪問回数別の採用件数と訪問頻度別の採用件数とが、用いられる。訪問回数は、旅行者が、目的とする地域を訪問した回数を示す。訪問頻度は、旅行者が、目的とする地域を訪問する頻度を示す。採用件数は、旅行計画装置の操作者に提示されてかつ確定された旅行計画の立案のために用いられた回数を示す。
【００６８】
【表３】
0004132236.tif 000004
【００６９】
【表４】
0004132236.tif 000005
【００７０】
表３および表４は、第１および第２良否情報データベースを示す。本実施形態の良否情報データベース２９としては、これら２つのデータベースのうちの少なくとも一方があればよい。前記第１良否情報データベースは、前述の旅行情報データベース２７に記憶される複数の旅行情報の地域・情報コードそれぞれに、良否情報として、旅行の良否の全ての入力結果、すなわち、旅行の良否の入力時に「二重丸」，「丸」，「三角」，「ペケ」がそれぞれ何回入力されたかが、対応付けられて記憶される。前記第２良否情報データベースは、前記複数の旅行情報の地域・情報コードそれぞれに、良否情報として、サンプル数と累計点と平均点とが、対応付けられて記憶される。サンプル数は、前記旅行の良否の入力が行われた総数である。累計点は、旅行の良否の入力結果を数値化したものであり、過去の全ての旅行の良否の入力結果を数値化したものの総和である。具体的には、１回の旅行の良否の入力結果は、「二重丸」であれば２点、「丸」であれば１点、「三角」であれば０点、「ペケ」であれば−１点に換算される。平均点は、累計点をサンプル数で除算した結果である。
【００７１】
【表５】
0004132236.tif 000006
【００７２】
表５は、宿泊施設データベース３０を示す。宿泊施設データベース３０は、宿泊施設に関する複数の宿泊情報を、個別に地域・情報コードに対応付けて記憶する。宿泊情報は、施設名と、宿泊に要する費用と、宿泊施設の位置情報とを含む。宿泊施設の位置情報は、たとえば、緯度および経度によって表される。このように、データベース部２２は、宿泊施設を、１つの目的地と同様に取扱っている。旅行情報データベース２７と宿泊施設データベース３０とを分離したのは、後述の旅行情報の探索処理において、宿泊施設だけが相互に異なる複数の旅行計画が立案されることを、避けるためである。なお、旅行情報が示す旅行コース内に、目的地の１つとして、宿泊施設が含まれている場合、宿泊施設データベース３０を省いてもよい。
【００７３】
図２は、旅行計画装置１の端末装置３における検索条件の入力手法、および旅行計画の提示手法を示すフローチャートである。以後の説明では、端末側入力装置１１は、画面入力装置とキーボードとを備えると仮定する。たとえば、操作者が、端末装置３に設けられた検索条件の入力処理の開始スイッチを操作すると、ステップａ１からステップａ２に進む。ステップａ２で、端末側制御装置１３は、端末装置３全体の初期化を行う。具体的には、端末側制御装置１３は、端末装置３内の全ての装置１１，１２，１４，１５の初期化を行う。さらに、端末側制御装置１３は、端末側通信装置１４と提供側通信装置２１との間でデータの送受が可能となるように、端末側通信装置１４に、両通信装置１４，２１間の通信経路を確立させる。この後、端末側制御装置１３は、端末装置３内の全ての装置１１，１２，１４，１５に、旅行情報の検索処理の開始を指示する。
【００７４】
ステップａ３〜ａ９で、端末装置３は、操作者に旅行地域を入力させる。本実施形態では、全ての目的地を含む基本地域が、３段階に階層化されて細分されていると仮定する。また、本実施形態では、基本地域は日本全土であると仮定する。本実施形態では、旅行地域の入力に拘わる入力画面として、図３〜図５に示す第１〜第３位地域指定用画面４１，４６，４９を、順次表示する。第１〜第３地域指定用画面４１，４６，４９は、それぞれ、操作者に、旅行地域を基本地域内の一部分に限定させるための画面の１つである。
【００７５】
具体的には、まず、ステップａ３で、端末側制御装置１３は、第１地域指定用画面４１を、端末側表示装置１７に表示させる。第１地域指定用画面４１は、その内部に、前記基本地域を複数に分割した地域をそれぞれ示す複数の第１地域指定用選択肢４２が並べられている。さらに、第１地域指定用画面４１内には、入力用選択肢４３と無指定用選択肢４４とが示される。
【００７６】
旅行地域の基本地域内の一部の地域を限定する場合、操作者は、旅行地域または旅行地域を含む地域を示す少なくとも１つの第１地域指定用選択肢４２を選択し、さらに、入力用選択肢４３を選択する。また、旅行地域を限定しない場合、無指定用選択肢４４だけを選択する。この場合、旅行地域が限定されず、前記基本地域全体が旅行地域であると見なされる。
【００７７】
第１地域指定用画面４１表示後、端末側制御装置１３は、ステップａ４で、旅行地域の限定のための指定があったか否か、すなわち、少なくとも１つの第１地域指定用選択肢４２と入力用選択肢４３とが選択されたか否かが判断される。これらの選択肢４２，４３が選択された場合、ステップａ４からステップａ５に進む。ステップａ５では、端末側制御装置１３は、選択された第１地域指定用選択肢４２が示す地域を、旅行地域として記憶し、次いで、第２地域指定用画面４６を表示する。
【００７８】
第２地域指定用画面４６は、第１地域指定用画面４１と比較して、複数の第１地域指定用選択肢４２が、複数の第２地域指定用選択肢４７に置換えられている点が異なり、他は等しい。複数の第２地域指定用選択肢４７は、前記基本地域内の第１地域指定用選択肢４２を用いて限定された地域をさらに細分化して得られる複数の地域に、それぞれ対応付けられる。本実施形態では、ステップａ５の時点で旅行地域として近畿地方が記憶されており、第２地域指定用選択肢４７は近畿地方内の地域にそれぞれ対応付けられると仮定する。
【００７９】
旅行地域をさらに限定する場合、操作者は、旅行地域または旅行地域を含む地域を示す少なくとも１つの第２地域指定用選択肢４７を選択し、さらに、入力用選択肢４３を選択する。また、旅行地域をこれ以上限定しない場合、無指定用選択肢４４だけを選択する。第２地域指定用画面４６表示後、端末側制御装置１３は、ステップａ６で、旅行地域の限定のための指定があったか否か、すなわち、少なくとも１つの第２地域指定用選択肢４７と入力用選択肢４３とが選択されたか否かが判断される。これらの選択肢４７，４３が選択された場合、ステップａ６からステップａ７に進む。ステップａ７で、端末側制御装置１３は、ステップａ５で記憶した旅行地域を、選択された第２地域指定用選択肢４７が示す地域に置換えて記憶し、次いで、第３地域指定用画面４９を表示する。
【００８０】
第３地域指定用画面４９は、第１地域指定用画面４１と比較して、複数の第１地域指定用選択肢４２が、複数の第３地域指定用選択肢４９に置換えられている点が異なり、他は等しい。複数の第３地域指定用選択肢４９は、第２地域指定用選択肢４７を用いて限定された地域をさらに細分化して得られる複数の地域に、それぞれ対応付けられる。本実施形態では、ステップａ７の時点で旅行地域として京阪神地域が記憶されており、第３地域指定用選択肢４９は京阪神地域内の地域にそれぞれ対応付けられると仮定する。前述の複数の地域コードは、第３地域指定用選択肢４９に対応付けられる地域に、それぞれ対応付けられている。
【００８１】
旅行地域をさらに限定する場合、操作者は、旅行地域を示す少なくとも１つの第３地域指定用選択肢４９を選択し、さらに、入力用選択肢４３を選択する。また、旅行地域をこれ以上限定しない場合、無指定用選択肢４４だけを選択する。第３地域指定用画面４９表示後、端末側制御装置１３は、ステップａ８で、旅行地域の限定のための指定があったか否か、すなわち、少なくとも１つの第３地域指定用選択肢４９と入力用選択肢４３とが選択されたか否かが判断される。これらの選択肢４９，４３が選択された場合、ステップａ８からステップａ９に進む。ステップａ９で、端末側制御装置１３は、ステップａ７の時点で記憶された地域に代わって、選択された第３地域指定用選択肢４９が示す地域を、旅行地域として確定して記憶する。記憶後、ステップａ９からステップａ１０に進む。
【００８２】
ステップａ４，ａ６，ａ８において、旅行地域の限定のための指定がなかったと判断される場合、すなわち無指定用選択肢４４が選択された場合、その時点で記憶されている旅行地域が、そのまま確定される。確定後、ステップａ４，ａ６，ａ８からステップａ１０に進む。
【００８３】
端末側制御装置１３は、ステップａ１０で、図６に示す条件入力用画面５２を、端末側表示装置１７に表示させる。条件入力用画面５は、旅行時期を入力するべき旅行時期用空欄５３と、旅行の出発地を入力するべき出発地用空欄５４と、訪問回数および頻度を入力するための複数の訪問回数用選択肢５５および複数の訪問頻度用選択肢５６と、入力用選択肢５７とを含む。
【００８４】
操作者は、端末側入力装置１１を操作して、旅行時期用空欄５３に旅行時期の開始年月日および終了年月日を書込み、出発地用空欄５４に出発地の地名や緯度経度を書込む。さらに操作者は、端末側入力装置１１を操作して、複数の訪問回数用選択肢５５のうちのいずれか１つ、または複数の訪問頻度用選択肢５６のうちのいずれか１つを選択する。なお、複数の訪問回数用選択肢５５のうちのいずれか１つと、複数の訪問頻度用選択肢５６のうちのいずれか１つとを、両方とも選択してもよい。この後、操作者は、入力用選択肢５７を選択する。また、端末装置３が、さらに現在位置検出装置、たとえばいわゆるＧＰＳ（Global Positioning System）受信機を備えている場合、端末装置３の現在位置を検出し、検出した現在位置を、前記出発地としてもよい。
【００８５】
条件入力用画面４２表示後、端末側制御装置１３は、ステップａ１１で、検索条件の入力が完了したか否か、すなわち、条件入力用画面５７の入力用選択肢５７が選択されたか否かを判断する。ステップａ１１の判定は、入力が完了するまで繰返される。入力用選択肢５７が選択された場合、端末側制御装置１３は、選択された訪問回数用および訪問頻度用選択肢５５，５６に対応付けられた訪問回数および訪問頻度を、旅行地域への旅行者の訪問度合として取得し、さらに、入力された旅行時期および出発地を取得する。このように、ステップａ３〜ａ１１で、検索条件として、旅行地域、旅行地域への旅行者の訪問度合、旅行時期、および出発地が、取得される。
【００８６】
端末側制御装置１３は、ステップａ１２で、取得された前記検索条件を、端末側通信装置１４から提供側通信装置２１に送信する。この結果、提供側制御装置２３は、前記検索条件に基づいてデータベース部２２を検索し、この結果得られる少なくとも１つの旅行情報に基づいて、少なくとも１つの旅行計画を立案する。本実施形態では、提供側制御装置２３は、複数の旅行計画を立案するものと仮定する。提供側制御装置２３の詳細な動作は、後述する。
【００８７】
検索条件送信後、ステップａ１３で、端末側制御装置１３は、提供側通信装置２１から端末側通信装置１４へ、旅行計画が送信されたか否かを判断する。ステップａ１３の判定は、端末側通信装置１４が旅行計画を受信するまで繰返される。複数の旅行計画が受信されたならば、ステップａ１３からステップａ１４に進む。端末側制御装置１３は、ステップａ１４で、旅行計画を操作者に提示するための提供画面を、端末側表示装置１７に表示させる。
【００８８】
図７は、旅行地域が京都近郊および神戸近郊であり、旅行期間が１泊２日であり、旅行者が前記旅行地域を初めて訪れる場合に、ステップａ１４の時点で表示される提供画面６１を示す。図８は、旅行地域と旅行期間が図７の例と等しく、前記旅行地域への旅行者の訪問回数が５〜９回であり、かつ、旅行者が前記旅行地域を２〜４年ぶりに訪問する場合に、ステップａ１４の時点で表示される提供画面６２を示す。
【００８９】
前記提供画面６１，６２でそれぞれ示される旅行計画は、旅行行程７１と、旅行に要する費用７２とをそれぞれ含む。旅行行程７１は、旅行で巡る予定の複数の目的地および宿泊予定の宿泊施設を訪問順に並べた訪問リスト７３と、前記複数の目的地での所要時間、出発地と目的地との間の移動時間、２つの目的地間の移動時間、および目的地と宿泊施設との間の移動時間を並べた平均所要時間リスト７４とが含まれる。図７および図８の例では、平均所要時間リスト７４内の時間を示す数値のうち、矢印の下のものが移動時間であり、目的地の名称の下のものがその目的地での所要時間である。
【００９０】
提供画面６１，６２は、概略的には、複数の旅行計画のうちのいずれか１つの旅行計画６３，６４と、旅行計画の提供に拘わる複数の選択肢とを、それぞれ含む。操作者は、表示された提供画面６１に示されるいずれか１つの旅行計画を目視して、複数の選択肢のうちのいずれか１つを選択する。また、提供される複数の旅行計画は、予め提供順が定められており、ステップａ１４の時点では、提供順が最も早い旅行計画が、示される。
【００９１】
再び図２を参照する。提供画面表示後、端末側制御装置１３は、まず、ステップａ１５で、複数の選択肢のうちの次候補指示用選択肢６５が選択されたか否かを判定する。選択されている場合、ステップａ１５からステップａ１６に進み、選択されていない場合ステップａ１５からステップａ１７に進む。端末側制御装置１３は、ステップａ１６で、現在表示されている提供画面に含まれるいずれか１つの旅行計画よりも提供順が１つ遅い旅行計画を含む新たな提供画面を、端末用表示装置１７に表示させる。新たな提供画面表示後、ステップａ１６からステップａ１７に進む。
【００９２】
次いで、端末側制御装置１３は、ステップａ１７で、複数の選択肢のうちの前候補指示用選択肢６６が選択されたか否かを判定する。選択されている場合、ステップａ１７からステップａ１８に進み、選択されていない場合、ステップａ１７からステップａ１９に進む。端末側制御装置１３は、ステップａ１８で、現在表示されている提供画面に含まれるいずれか１つの旅行計画よりも提供順が１つ早い旅行計画を含む提供画面を、端末用表示装置１７に再び表示させる。前記提供画面表示後、ステップａ１８からステップａ１９に進む。
【００９３】
次いで、端末側制御装置１３は、ステップａ１９で、複数の選択肢のうちの一覧表指示用選択肢６７が選択されたか否かを判定する。選択されている場合、ステップａ１９からステップａ２０に進み、選択されていない場合、ステップａ１９からステップａ２１に進む。端末側制御装置１３は、ステップａ２０で、全ての旅行計画を含む一覧表画面を、端末用表示装置１７に表示させる。一覧表画面は、たとえば、複数の旅行計画を、それぞれ前記提供画面と同じ形式でかつ縮小して、並列に表示したものである。前記一覧表画面表示後、ステップａ２０からステップａ２１に進む。
【００９４】
次いで、端末側制御装置１３は、ステップａ２１で、複数の選択肢のうちの再検索指示用選択肢６８が選択されたか否かを判定する。再検索指示用選択肢６８は、たとえば全ての旅行計画のうちに旅行者が望む旅行計画がなかったために、操作者が前記検索条件を変更しようとする場合に、選択される。再検索指示用選択肢６８が選択されている場合、ステップａ２１からステップａ３に戻り、選択されていない場合、ステップａ２１からステップａ２２に進む。
【００９５】
次いで、端末側制御装置１３は、ステップａ２２で、複数の選択肢のうちのキャンセル指示用選択肢６９が選択されたか否かを判定する。キャンセル指示用選択肢６７は、図２のフローチャートの処理を操作者が中途終了させようとする場合に、選択される。キャンセル指示用選択肢６９が選択されていない場合、ステップａ２２からステップａ２３に進み、選択されている場合、ステップａ２２からステップａ２５に進み、当該フローチャートの処理を終了する。
【００９６】
次いで、端末側制御装置１３は、ステップａ２３で、複数の選択肢のうちの採用指示用選択肢７０が選択されたか否かを判定する。採用指示用選択肢７０は、現在表示されている提供画面に含まれる旅行計画を操作者が採用する場合に、選択される。採用指示用選択肢７０が選択されていない場合、ステップａ２３からステップａ１５に戻り、選択されている場合、ステップａ２３からステップａ２４に進む。
【００９７】
端末側制御装置１３は、ステップａ２４で、採用された旅行計画の立案に用いられた旅行情報の地域・情報コードを、端末側通信装置１４から提供側通信装置２１に送信させる。さらに、端末側制御装置１３は、前記出発地から前記採用された旅行計画において最初に訪問する目的地までの経路と、該旅行計画において最後に訪問する目的地から前記出発地までの経路とを、ナビゲーション装置１２に経路探索させて、探索結果を端末側表示装置１７に表示させる。なお端末側制御装置１３は、前記経路探索と探索結果の表示との代わりに、ナビゲーション装置１２に、前記採用された旅行計画に関する地図、たとえば該旅行計画で訪問する地域の地図を、ナビゲーション装置１２内に備えられる複数の地図の中から検索させて、端末側表示装置１７に表示させてもよい。これらに加えて、操作者が端末側入力装置１１を操作して、前記採用された旅行計画の印刷を指示した場合、端末側制御装置１３は、指示された時点で端末側表示装置１７に表示される旅行計画を、プリンタ１８によって記録紙に印刷させる。以上の処理が終了した後、ステップａ２５で、当該フローチャートの処理を終了する。
【００９８】
図９は、旅行計画装置１の端末装置３における旅行の良否の入力手法を示すフローチャートである。以後の説明では、端末側入力装置１１は、画面入力装置とキーボードとを備えると仮定する。たとえば、操作者が、端末装置３に設けられた旅行の良否を問うアンケートの入力処理の開始スイッチを操作すると、ステップｂ１からステップｂ２に進む。ステップｂ２で、端末側制御装置１３は、端末装置３全体の初期化を行う。具体的には、端末側制御装置１３は、端末装置３内の全ての装置の行い、端末側通信装置１４と提供側通信装置２１との間でデータの送受が可能となるように、端末側通信装置１４に、両通信装置１４，２１の通信経路を確立させる。さらに、端末側制御装置１３は、端末装置３内の全ての装置に、前記アンケートの入力処理の開始を指示する。ステップｂ３で、端末側制御装置１３は、端末側表示装置１７に、旅行の良否の入力に関するアンケート画面を、表示させる。
【００９９】
図１０は、前記アンケート画面８１を示す。アンケート画面８１は、旅行の良否の入力に拘わる複数の満足度用選択肢８３と、旅行の長所の入力に拘わる複数の長所用選択肢８４と、旅行の短所の入力に拘わる複数の短所用選択肢８５と、入力用選択肢８６とを含む。前述するように、本実施形態では、旅行の良否、すなわち満足度を４段階に分けているので、複数の満足度用選択肢８３は、「二重丸」，「丸」，「三角」，「ペケ」にそれぞれ対応する。また、複数の長所用選択肢８４は、それぞれ、今回の旅行で旅行者が良かったと感じた点を入力するためのものであり、旅行コースおよび目的地の選択が良かった場合、宿泊場所が良かった場合、天候が良かった場合の３つの場合にそれぞれ対応する。また、複数の短所用選択肢８４は、それぞれ、今回の旅行で旅行者が悪かったと感じた点を入力するためのものであり、旅行コースおよび目的地の選択が悪かった場合、宿泊場所が悪かった場合、天候が悪かった場合の３つの場合にそれぞれ対応する。操作者は、端末側入力装置１１を操作して、全ての満足度用選択肢８３のうちのいずれか１つと、全ての長所用選択肢８４のうちのいずれか１つと、全ての短所用選択肢８５のうちのいずれか１つとを、それぞれ選択する。この後、操作者は、入力用選択肢８６を選択する。
【０１００】
再び図９を参照する。アンケート画面８１表示後、端末側制御装置１３は、ステップｂ４で、旅行の良否の入力が完了したか否か、すなわち、アンケート画面８１の入力用選択肢８６が選択されたか否かが判断される。ステップｂ４の判定は、入力が完了するまで繰返される。入力用選択肢８６が選択された場合、端末側制御装置１３は、選択された３つの選択肢にそれぞれ対応する情報を、アンケート入力結果、すなわち旅行の良否を示す情報として取得する。次いで、端末制御装置１３は、ステップｂ５で、取得されたアンケート入力結果を、端末側通信装置１４から提供側通信装置２１に送信させる。送信後、ステップｂ６で、当該フローチャートの処理を終了する。
【０１０１】
図１１は、提供装置４において、旅行計画の立案に関する処理および良否情報の更新に関する処理を示すフローチャートである。たとえば、情報センタのシステム、すなわち提供装置４を立ちあげるために提供装置４に電力を供給した時点で、ステップｂ１からステップｂ２に進む。なお本フローチャートは、供給された電力が遮断された時点で強制的に終了され、再び電力が供給された時点で、再びステップｂ１から処理が開始される。
【０１０２】
提供側制御装置２３は、ステップｃ２で、提供装置４の初期化を行う。次いで、ステップａ３で、提供側制御装置２３は、提供側通信装置２１が、端末側通信装置１４から送信された前記検索条件を受信したか否かが判断される。前記検索条件は、図２のフローチャートのステップａ１２で送信されたものである。前記検索条件を受信しない場合、ステップｃ３からステップｃ９に進み、前記検索条件を受信した場合、ステップｃ３からステップｃ４に進む。
【０１０３】
提供側制御装置２３は、ステップｃ４で、前記検索条件に基づいてデータベース部２２を検索し、その結果得られる複数の旅行情報に基づいて、複数の旅行計画を立案する。検索手順の詳細は、後述する。提供側制御装置２３は、ステップｃ５で、前記検索条件に基づき、計画しようとする旅行に宿泊の予定があるか否かを判断する。宿泊の予定がある場合、ステップｃ５からステップｃ６に進み、宿泊の予定がない場合、ステップｃ５からステップｃ８に進む。
【０１０４】
提供側制御装置２３は、まずステップｃ６で、前記検索条件に基づいて、宿泊施設データベース３０を検索し、次いでステップｃ７で、前記検索の結果、空きのある宿泊施設、すなわち宿泊可能な宿泊施設が得られたか否かを判定する。空きのある宿泊施設が得られない場合、ステップｃ７からステップｃ６に戻り、検索手順を変更して検索をやり直す。空きのある宿泊が少なくとも１箇所得られた場合、ステップｃ７からステップｃ８に進む。得られた宿泊施設は、ステップｃ４で立案された旅行計画に付加される。提供側制御装置２３は、ステップｃ８で、ステップｃ４で立案された複数の旅行計画を、前記提供順で、提供側通信装置２１から端末側通信装置１４に送信させる。この結果、端末装置３では、複数の旅行計画が順次操作者に提示される。
【０１０５】
提供側制御装置２３は、ステップｃ９で、提供側通信装置２１が、端末側通信装置１４から送信された前記地域・情報コードを受信したか否かが判断される。前記地域・情報コードは、図２のフローチャートのステップａ２４で送信されたものである。前記地域・情報コードを受信しない場合、ステップｃ９からステップｃ１１に進み、前記地域・情報コードを受信した場合、ステップｃ９からステップｃ１０に進む。
【０１０６】
提供側制御装置２３は、ステップｃ１０で、回数・頻度データベース２８内の全ての採用件数のうちで、受信した前記地域・情報コード、すなわち操作者に採用された旅行計画の立案に用いられた地域・情報コードと、該旅行計画の立案時に与えられた訪問度合との両方によって規定される採用件数に、１を加算する。前記訪問度合が訪問回数または訪問頻度だけの場合、前記地域・情報コードと前記訪問回数または訪問頻度とによって規定される１つの採用件数に１が加算され、前記訪問度合が訪問回数および訪問頻度だけの場合、前記地域・情報コードと前記訪問回数および訪問頻度とによってそれぞれ規定される２つの採用件数にそれぞれ１が加算される。
【０１０７】
提供側制御装置２３は、ステップｃ１１で、提供側通信装置２１が、端末側通信装置１４から送信された前記アンケート入力結果を受信したか否かが判断される。前記アンケート入力結果は、図９のフローチャートのステップｂ５で送信されたものである。前記アンケート入力結果を受信しない場合、ステップｃ１１からステップｃ３に戻り、前記アンケート入力結果を受信した場合、ステップｃ１１からステップｃ１２に進む。
【０１０８】
提供側制御装置２３は、ステップｃ１２で、前記アンケート入力結果に基づき、良否情報データベース２９を更新する。具体的には、まず、長所および短所用選択肢の選択結果に基づき、旅行の良かった点および悪かった点のうちの少なくとも一方が、旅行コースおよび目的地であったかどうかが、判別される。２つの前記点のうちの少なくとも一方が旅行コースおよび目的地である場合、良否情報データベース２９内の全ての良否情報のうち、前記アンケート入力結果を入力した旅行者が行った旅行の計画の立案時に用いた旅行情報の地域・情報コードに対応する良否情報が、前記アンケート入力結果に基づいて書換えられる。２つの前記点の両方が旅行コースおよび目的地ではない場合、良否情報データベース２９は書換えられない。良否情報データベース２９の書換え処理が終了すると、ステップｃ１２からステップｃ３に戻る。以後、ステップｃ３〜ｃ１２の処理が繰返される。
【０１０９】
ステップｃ３のデータベースの検索処理を、以下に詳細に説明する。前記検索処理には、旅行情報データベース２７と回数・頻度データベース２８とが用いられる第１検索処理と、旅行情報データベース２７と良否情報データベース２９とが用いられる第２検索処理と、旅行情報データベース２７と回数・頻度データベース２８と良否情報データベース２９とが用いられる第３検索処理とがあり、いずれか１つの検索処理が行われる。
【０１１０】
まず、第１検索処理を説明する。最初に、提供側制御装置２３は、受信された探索条件のうちの旅行地域に基づき、全ての旅行情報のうちで検索対象とする旅行情報を決定する。具体的には、旅行地域として指定された地域を示す地域コードを地域・情報コード内に含む旅行情報が、検索対象とされる。全ての地域コードは、第３地域指定用選択肢５０にそれぞれ対応付けられた複数の地域に対応するので、第１〜第３地域指定用画面４１，４６，４９がそれぞれ表示された段階で無指定用選択肢４４が選択された場合には、旅行地域と直接対応する地域コードは存在しない。この場合、地域コードが対応付けられる全ての地域のうちで、旅行地域内にある全ての地域が、検索対象とされる。これらの処理の結果、検索対象となる旅行情報の地域・情報コードが定まる。
【０１１１】
次いで、提供側制御装置２３は、前記検索条件内の訪問度合に基づき、回数・頻度データベース２８を検索して、全ての前記検索対象の旅行地域の地域・情報コードのうちから、複数の地域・情報コードを選ぶ。回数・頻度データベース２８の検索手法は、以下の３通りの手法がある。
【０１１２】
第１の検索手法は、前記訪問度合が訪問回数または訪問頻度だけである場合に用いられる。まず最初に、回数・頻度データベース２８内の前記訪問回数および頻度別の旅行情報の採用件数のうち、すなわち表２の採用件数の行列内の全ての列のうち、前記検索条件内の訪問回数または訪問頻度と同じものが選ばれる。最後に、全ての前記検索対象の旅行情報の地域・情報コードの中から、選ばれた列内の採用件数が多い順に上位５件の採用件数にそれぞれ対応する地域・情報コードが、選ばれる。また、採用件数が少ない順に上位５件の採用件数にそれぞれ対応する地域・情報コードが選ばれても良い。以上が第１の検索手法である。
【０１１３】
第２の検索手法は、前記訪問度合が訪問回数および訪問度合の両方である場合に用いられる。まず最初に、回数・頻度データベース２８内の採用件数の行列内の全ての列のうち、前記検索条件内の訪問回数および訪問頻度と同じものがそれぞれ選ばれる。次いで、全ての前記検索対象の旅行情報の地域・情報コードの中から、選ばれた２本の列それぞれについて、各列内の採用件数が多い順、または少ない順に、上位５件の採用件数にそれぞれ対応する地域・情報コードが、全て選ばれる。以上が、第２の検索手法である。
【０１１４】
第３の選択手法は、前記訪問度合が訪問回数および訪問度合の両方である場合に用いられる。まず最初に、回数・頻度データベース２８内の採用件数の行列内の全ての列のうち、前記検索条件内の訪問回数および訪問頻度と同じものがそれぞれ選ばれる。次いで、前記検索条件の訪問回数と同じ訪問回数の採用件数の列内の各地域・情報コード毎の採用件数と、前記検索条件の訪問頻度と同じ訪問頻度の採用件数の列内の各地域・情報コード毎の採用件数とが、それぞれ加算される。最後に、全ての前記検索対象の旅行情報の地域・情報コードの中から、前記採用件数の和が多い順、または少ない順に、上位５件の採用件数にそれぞれ対応する地域・情報コードが、全て選ばれる。以上が、第３の検索手法である。
【０１１５】
続いて、提供側制御装置２３は、旅行情報データベース２７のうちから、上述のいずれかの手順で選ばれた複数の地域・情報コードにそれぞれ対応する複数の旅行情報を、読出す。さらに、提供側制御装置２３は、読出した複数の旅行情報に基づいて、複数の旅行計画を立案する。具体的には、まず、読出された全ての旅行情報のうちの少なくとも１つを含む候補計画が、多数立案される。次いで、各候補計画毎に、各候補計画にしたがって旅行者が旅行した場合に旅行に要する旅行時間が、前記検索条件内の旅行期間内に収まるかどうかを、それぞれ調べる。全ての候補計画のうちで、旅行に要する時間が前記旅行期間内に収まるものが、操作者に提示するべき旅行計画として選ばれる。
【０１１６】
任意の１つの候補計画の旅行時間は、以下のように計算される。まず、前記検索条件内の出発地から前記候補計画内に経由する予定になっている全ての目的地のうちの最初に訪れる目的地までの移動に要する移動時間と、前記全ての目的地のうちの最後に訪れる目的地から前記検索条件内の出発地までの移動に要する移動時間とが、計算される。また、候補計画内で複数の旅行情報によってそれぞれ示される複数の目的地を経由する予定になっている場合、前記複数の目的地間の移動に要する移動時間も計算される。これらの移動時間と、前記全ての目的地それぞれでの所要時間との和が、前記候補計画の旅行時間となる。出発地と目的地との間の移動時間および２つの目的地間の移動時間は、それぞれ、旅行情報内にある出発地の位置情報と、旅行情報内にある目的地の位置情報とを用いて、算出される。また、目的地それぞれでの所要時間は、旅行情報内に記憶されている。なお、１つの旅行情報が旅行コースを表す場合、該旅行情報内の所要時間には、該旅行情報が示す複数の目的地それぞれの所要時間の他に、これら複数の目的地間を移動するための移動時間も含まれる。以上が、旅行時間の計算手法である。
【０１１７】
なお、旅行期間が１日以上である場合、すなわち宿泊の予定がある場合、旅行計画の立案の際に、前述したように空きのある宿泊施設を調べ、旅行計画に前記宿泊施設を組込む。この際、旅行計画が複数の地域を回る予定になっている場合、１日目に回る予定の地域と２つ目に回る予定の地域との間の地域にある宿泊施設を選ぶとよい。このようにして立案された複数の旅行情報が、ステップｃ８で、端末装置３に送信される。以上が、第１の検索処理の説明である。
【０１１８】
以下に、第２検索処理を説明する。最初に、提供側制御装置２３は、受信された探索条件のうちの旅行地域に基づき、全ての旅行情報のうちで検索対象とする旅行情報を決定する。検索対象の旅行情報の地域・情報コードの決定の詳細な手順は、前記第１検索処理と等しい。
【０１１９】
次いで、提供側制御装置２３は、予め定める複数の検索手法のうちの、前記検索条件内の訪問度合に応じた検索手法を用い、良否情報データベース２９を検索して、全ての検索対象の旅行情報の地域・情報コードのうちから、複数の地域・情報コードを得る。前記検索手法は、前記検索条件内の訪問回数が少ないほど、または前記検索条件内の訪問頻度が頻繁であるほど、過去の旅行者がだれでも１度は訪問するような目的地を示す旅行情報を選ばせる。また、前記検索手法は、前記検索条件内の訪問回数が高いほど、または前記検索条件内の訪問頻度が頻繁であるほど、過去の旅行者が良かったと感じた目的地を示す旅行情報を選ばせる。前記訪問度合に応じた検索手法は、良否情報データベース２９が、前述の第１および第２良否情報データベースのどちらであるかに応じて異なる。
【０１２０】
続いて、提供側制御装置２３は、旅行情報データベース２７のうちから、上述のいずれかの手順で選ばれた複数の地域・情報コードにそれぞれ対応する複数の旅行情報を、読出す。さらに、提供側制御装置２３は、読出した複数の旅行情報に基づいて、複数の旅行計画を立案する。旅行計画の立案処理の詳細な手法は、第１検索手法で説明したものと等しい。以上が、第２検索処理の説明である。
【０１２１】
良否情報データベース２９が前記第１良否情報データベースであるならば、良否情報データベース２９の具体的な複数の検索手法は、たとえば以下のとおりである。なお、以下の説明では、複数の検索手法は、訪問回数が初回である場合、または訪問頻度が１０年ぶりである場合に用いられる第１検索手法、訪問回数が２〜４回である場合、または訪問頻度が２〜９年ぶりである場合に用いられる第２検索手法、訪問回数が５〜９回である場合、または訪問頻度が年１回である場合に用いられる第３検索手法、訪問回数が１０回以上である場合、または訪問頻度が年２回以上である場合に用いられる第４検索手法の４つであると仮定する。
【０１２２】
前記第１検索手法では、まず、全ての検索対象の地域・情報コードが、対応するサンプル数が多い順に並べ替えられ、次いで、全ての検索対象の地域・情報コードのうちから、「二重丸」と「丸」との数の和がサンプル数全体の６０％である地域・情報コードが、前記並べ替えられた順に５件分選ばれる。前記サンプル数は、「二重丸」の数と「丸」の数と「三角」の数と「ペケ」の数との和である。前記第２検索手法では、まず、全ての検索対象の地域・情報コードが、対応する「二重丸」の多い順に並べ替えられ、次いで、全ての検索対象の地域情報・コードのうちから、並べ替えられた順で上位５件のものが、選ばれる。
【０１２３】
前記第３検索手法では、まず、全ての検索対象の地域・情報コードが、対応するサンプル数に対する「二重丸」の数の比率が大きい順に並べ替えられ、次いで、全ての検索対象の地域・情報コードのうちから、並べ替えられた順で上位５件のものが選ばれる。前記第４検索手法では、まず、全ての検索対象の地域・情報コードが、対応するサンプル数に対する「二重丸」の数の比率が大きい順に並べ替えられ、次いで、全ての検索対象の地域・情報コードのうちから、サンプル数が予め定める数以下のものが、前記並べ替えられた順で５件分選ばれる。前記予め定める数は、たとえば、旅行地域がどこであるかに応じて可変になっている。以上が、前記第１良否データベースが用いられる場合の複数の検索手法の説明である。
【０１２４】
良否情報データベース２９が前記第２良否情報データベースであるならば、良否情報データベース２９の具体的な複数の検索手法は、たとえば以下のとおりである。なお、以下の説明では、複数の検索手法は、第１良否情報データベースが用いられる例で説明した前記４つの場合にそれぞれ用いられる第１〜第４検索手法であると仮定する。
【０１２５】
前記第１検索手法では、まず、全ての検索対象の地域・情報コードが、サンプル数が多い順に並べ替えられ、最後に、全ての検索対象の地域・情報コードのうちから平均点が１以上であるものが、前記並べ替えられた順に５件分選ばれる。前記第２検索手法では、全ての検索対象の地域・情報コードが平均点の多い順に並べ替えられ、最後に、全ての検索対象の地域・情報コードのうちから、サンプル数が予め定める数以上のものが、前記並べ替えられた順に５件分選ばれる。前記第３検索手法では、全ての検索対象の地域・情報コードが平均点が多い順に並べ替えられ、最後に、全ての検索対象の地域・情報コードのうちで前記並べ替えられた順に上位５件のものが、選ばれる。前記第４検索手法では、まず、全ての検索対象の地域・情報コードが平均点の多い順に並べ替えられ、最後に、全ての検索対象の地域・情報コードのうちから、サンプル数が予め定める数以下のものが、前記並べ替えられた順に５件分選ばれる。前記予め定める数は、それぞれ、旅行地域がどこであるかに応じて可変になっている。以上が、前記第２良否情報データベースが用いられる場合の複数の検索手法の説明である。
【０１２６】
以下に、第３検索処理を説明する。まず、提供側制御装置２３は、回数・頻度データベース２８だけを用い、前記第１検索処理と同じ処理によって、全ての地域・情報コードのうちから複数の地域・情報コードを選ぶ。さらに、提供側制御装置２３は、良否情報データベース２９だけ用い、前記第２検索処理と同じ処理によって、全ての地域・情報コードのうちから複数の地域・情報コードを選ぶ。続いて、提供側制御装置２３は、旅行情報データベース２７のうちから、上述の２つのデータベース２８，２９をそれぞれ用いて選ばれた全ての地域・情報コードにそれぞれ対応する複数の旅行情報を読出す。最後に、提供側制御装置２３は、読出された複数の旅行情報に基づき、複数の旅行計画を立案する。旅行計画の立案処理の詳細な手法は、第１検索手法で説明したものと等しい。以上が、第３検索処理である。
【０１２７】
訪問度合だけが異なる複数の検索条件にそれぞれに基づいて、提供側制御装置２３が上述の検索処理を用いて旅行計画をそれぞれ立案すると、各検索条件毎の旅行計画が相互に異なる。たとえば、検索条件が図７の説明で述べたものになっている場合、提供順が筆頭の旅行情報は、表１の地域・情報コードのうち、１１１１０１−００６と１１１１１０−００３とに基づいて作成されているとする。この場合に、検索条件が、図８の説明で述べたように、図７の例の検索条件と比較して訪問頻度だけが異なっている場合、提供順が筆頭の旅行情報は、表１の地域・情報コードのうち、１１１１０１−００７と１１１１１０−００４とに基づいて作成される。
【０１２８】
図１１のフローチャートのステップｃ６で行われる宿泊施設データベースの検索処理の具体的な手順を、以下の説明する。まず、提供側制御装置２３は、前記検索条件内の旅行地域に基づいて、全ての宿泊情報のうちから検索対象とするべき少なくとも１つの宿泊情報を選ぶ。検索対象の宿泊情報の具体的な選択手順は、前述した検索対象の旅行情報の具体的な検索手法と等しい。次いで、提供側制御装置２３は、全ての検索対象の宿泊情報のうちから、空きがある宿泊施設を示すものを検索し、検索された宿泊情報を宿泊情報データベース３０から読出す。
【０１２９】
宿泊施設に空きがあるか否かを示す空き情報は、たとえば、以下のように調べられる。情報センタと宿泊施設とは、予め空き情報を授受可能なシステムを構築している。空き情報を授受可能にするには、たとえば、また、情報センタは、宿泊施設のかわりに、宿泊施設の空き情報を取得可能なもの、たとえば旅行会社との間で、空き情報を授受するためのシステムを構築していてもよい。前記システムを構築するには、たとえば、情報センタと宿泊施設とにいわゆるオンラインシステムを設置するか、両者に備えられた情報処理装置をインターネットを介して接続する。情報センタは、宿泊施設または旅行会社に随時アクセスして前記空き情報を取得し、取得した空き情報を提供装置４に入力する。これは、提供装置４が自動的に行っても良いし、情報センタの作業者が行っても良い。
【０１３０】
１つの提供装置４が不特定多数の端末装置３に旅行計画を提供している場合、提供側制御装置２３は、良否情報データベース２９の更新のために、提供された旅行計画の立案に用いられた旅行情報と該旅行計画に関するアンケート結果とを、対応付ける必要がある。このため、提供側制御装置２３は、たとえば、以下の手順で、旅行情報とアンケート結果とを対応付ける。
【０１３１】
提供側制御装置２３は、予め、不特定多数の端末装置３それぞれに、端末装置３を識別するための識別コードを、それぞれ対応付けておく。また、いずれか１つの端末装置３に提供された旅行計画に基づいた旅行の良否のアンケート結果は、前記いずれか１つの端末装置３から提供装置４に返されるように、旅行計画装置１の使用手法を定めておく。ステップｃ９において任意の１つの端末装置３が採用する旅行計画の立案に用いられた旅行情報の地域・情報コードが受信された場合、提供側制御装置２３は、該地域・情報コードと前記端末装置３の識別コードとを対応付けて記憶する。その後、ステップｃ１１でいずれかの端末装置３からのアンケート結果が受信された場合、提供側制御装置２３は、前記いずれかの端末装置３の識別コードに対応づけられて記憶された地域・情報コードに対応する旅行情報の良否情報を、受信されたアンケート結果に基づいて更新する。これによって、旅行計画装置１が不特定多数の端末装置を含む場合も、提供側制御装置２３はアンケート結果に基づいて良否情報を更新することができる。
【０１３２】
なお、提供側制御装置２３は、ステップｃ８では、立案された旅行計画の概略、たとえば旅行行程だけを、端末装置３に提供するようにしてもよい。この場合、端末装置３は、ステップａ２３の判定が肯定された後、まず、採用したいずれか１つの旅行計画がどれであるかを示す情報を、提供装置４に送信する。提供側制御装置２３は、前記情報が受信されると、採用されたいずれか１つの旅行計画に関する全ての情報を、端末装置３に送信する。端末側制御装置１３は、前記全ての情報を、ステップａ２４で端末側表示装置１７に表示させる。
【０１３３】
なお、この手順で旅行計画を提供する場合、提供側制御装置２３は、採用された前記いずれか１つの旅行計画に関する全ての情報に、該旅行計画に関するアンケートと、該アンケートを識別するための識別コードとを加えてもよい。提供側制御装置２３は、前記アンケートの識別コードを、前記いずれか１つの旅行計画の立案に用いた旅行情報の地域・情報コードに対応付けて記憶しておく。端末側制御装置１３は、ステップｂ５でアンケート結果を送信する際、アンケートの識別コードも送信する。提供側制御装置２３は、受信したアンケートの識別コードに対応付けられた地域・情報コードに対応する旅行情報の良否情報を、受信したアンケートに基づいて更新する。このようにすれば、旅行計画装置１が不特定多数の端末装置を含み、かつ、提供装置４と端末装置３との間で旅行計画が上述の手順で送受される場合も、提供側制御装置２３はアンケート結果に基づいて良否情報を更新することができる。
【０１３４】
良否情報データベース２９の検索手順の使い分けのための場合分けは、前述の例に限らず、訪問頻度に応じてさらに細かく場合分けしてもよい。もちろん、良否情報データベース２９の複数の検索手順それぞれは、上述の例に限らず、他の手順でも良い。回数・頻度データベース２８の訪問回数の区分、および良否情報データベース２９の訪問度合の区分は、表２および表３の例の区分に限らず、さらに細かくしてもよい。また、検索条件は、旅行に参加する者の人数や人員構成を示す人的情報を含んでいてもよい。すなわち、人的情報は、旅行が一人旅、アベック旅行、家族旅行、グループ旅行のどれであるかや、旅行者の年令を示す。この場合、提供装置４は、これらの人的情報それぞれに対応する回数・頻度データベースおよび良否情報データベースを予め設定しておき、検索条件内の人的情報と等しい人的情報に対応付けられる回数・頻度および良否情報データベースを用いて、旅行計画を立案する。これによって、提供装置４は、前記人的情報が加味されたことによってさらに細分化された検索条件に基づいて、旅行情報を提供することができる。
【０１３５】
また、任意の１つの地域に関する旅行情報は、複数ある。提供側制御装置２３は、これら複数の旅行情報の地域・情報コードそれぞれに個別に対応する訪問度合別の採用件数、または該地域・情報コードそれぞれに個別に対応する良否情報のサンプル数が、予め定める値を越えた時点で、これら複数の旅行情報それぞれをどのような訪問回数または訪問頻度向けに提供するかを、固定するようにしてもよい。すなわち、前記地点以後、回数・頻度データベース２８および良否情報データベース２９は、訪問回数または訪問頻度別に、提供するべき旅行情報記憶するものとなる。この場合、予め定める複数の訪問度合それぞれに提供するべき旅行情報が予め対応付けられているので、提供側制御装置２３は、前記複数の訪問度合のうちで検索条件内の訪問度合に合致するものを選び、選ばれた訪問度合に対応する旅行情報を提供する。これによって、提供側制御装置２３の処理が容易になる。
【０１３６】
なお、アンケート画面８１が長所選択肢８４と短所選択肢８５とを含むのは、以下の理由からである。一般的に、旅行者は、旅行の良否を、旅行で回った目的地の印象だけでなく、旅行中の天候および宿泊施設の印象も加味して考える。このため、良否情報データベース２９の更新に、天候または宿泊施設の印象を主要因として定められた良否情報を用いることは、良否情報データベース２９の精度を低下させる原因となるおそれがある。このため、良否情報データベース２９の更新に、目的地の印象を主要因とした良否情報だけを用いるために、長所選択肢８４および短所選択肢８５とを加えているのである。すなわち、提供側制御装置２３は、旅行の良かった点または悪かった点に目的地が挙げられている場合だけ、良否情報を用いて良否情報データベース２９を更新することによって、良否情報データベース２９の更新結果が、天候などに影響されることを防いでいる。
【０１３７】
以上の説明では、提供装置４は検索条件に応じて選ばれた少なくとも１つの旅行情報に基づいて旅行計画を立案し、該旅行計画を端末装置３に与えているが、前記少なくとも１つの旅行情報をそのまま端末装置３に与えても良い。さらに、検索条件は、訪問度合の他に、旅行地域や旅行期間を含んでいるが、検索条件は少なくとも訪問度合を含んでいればよく、旅行地域や旅行期間は省略されてもよい。旅行地域や旅行期間が省略された場合、提供側制御装置２３は、省略された条件に関する処理を省いて、旅行情報の検索処理を行う。
【０１３８】
【発明の効果】
以上のように本発明によれば、旅行計画装置は、予め定める地域内の目的地に関する複数の旅行情報を、訪問度合、訪問度合に応じた検索順位、および良否情報のうちの少なくとも１つとそれぞれ対応付けて記憶した検索用記憶手段を含む。操作者は、旅行計画装置に、前記検索用記憶手段の検索条件として、旅行者の前記地域への訪問度合を入力する。旅行計画装置内の旅行情報検索手段は、操作者に提供するべき旅行情報を、全ての旅行情報のうちから訪問度合に応じて選ぶ。たとえば旅行情報検索手段は、訪問度合入力手段によって入力された訪問度合が所定より小さな場合、複数の旅行情報から予め定める訪問度合が大きい少なくとも１つの旅行情報を選ぶ。また、たとえば旅行情報検索手段は、訪問度合入力手段によって入力された訪問度合が所定より小さな場合に、複数の旅行情報から前記検索順位の高い順に少なくとも１つの旅行情報を選ぶ。また、たとえば旅行情報検索手段は、訪問度合入力手段によって入力された訪問度合が所定より大きな場合に、旅行情報検索手段によって複数の旅行情報から良否情報の良の度合が大きく、かつ良否情報の総数であるサンプル数が所定値以下の少なくとも１つの旅行情報を選ぶ。これによって、旅行者の前記地域への訪問度合に応じて、旅行者に最も適した旅行情報が、常に容易に提供される。
【０１３９】
また本発明によれば、前記各旅行情報の検索順位は、旅行情報が出力された回数に応じて定められる。この結果、出力されるべき旅行情報は、過去に出力した旅行情報の数と前記訪問度合とに応じて、容易に選ばれる。さらにまた本発明によれば、前記旅行計画装置は、前記各旅行情報の良否情報を、各旅行情報に基づいて実際に行われた旅行の良否の集計結果に基づいて定める。この結果、出力されるべき旅行情報は、過去に行われた実際の旅行の良否結果と、前記訪問度合とに応じて、容易に選ばれる。
【０１４０】
また本発明によれば、全ての旅行情報は、前記地域内の目的地がある小地域を示す地域情報をそれぞれ含む。この結果、出力されるべき旅行情報を目的地がある小地域を考慮して選ぶことができる。さらにまた本発明によれば、出力されるべき旅行情報は、前記検索条件の１つとして入力された小地域内に目的地がある旅行情報の中から選ばれる。これによって、旅行者が望む小地域への旅行の旅行計画が、容易に立案可能になる。
【０１４１】
また本発明によれば、全ての旅行情報は、目的地での滞在時間と、目的地の位置とを、それぞれさらに示す。この結果、前記滞在時間と前記目的地の位置とを考慮して、出力するべき旅行情報を選ぶことが可能になる。さらにまた本発明によれば、出力されるべき旅行情報は、前記滞在時間と目的地の位置とを用い、前記検索条件の１つとしてそれぞれ入力された旅行時間および出発地の位置を考慮して定められる。これによって、旅行者が望む旅行時間内に出発地との往復が可能な目的地を巡るように、旅行計画が立案される。
【０１４２】
また本発明によれば、前記旅行情報と、前記検索順位および前記良否情報のうちの少なくとも一方とは、別々の記憶手段に記憶される。これによって、記憶手段の記憶内容の更新やメンテナンスが容易になる。
【０１４３】
さらにまた本発明によれば、前記旅行計画装置は、旅行の良否を操作者に入力させ、入力された旅行の良否を集計して、集計結果に基づき良否情報を更新する。これによって、常に良否情報は、常に最新のものになる。また本発明によれば、前記旅行計画装置には旅行中の天候の良否が入力可能であり、前記良否情報の更新は天候が良好であった旅行の良否だけに基づいて行われる。この結果、良否情報が旅行時の天候等に左右されることが防止される。
【０１４４】
さらにまた本発明によれば、前記検索用記憶手段および前記旅行情報検索手段を含む旅行情報提供装置と、旅行者の前記地域への訪問度合を入力するための訪問度合入力手段を含む旅行情報提供用端末装置とが組合わされて、前記旅行計画装置を構成する。ゆえに、前記旅行情報提供用端末装置は、前記旅行情報検索手段に前記検索用記憶手段を検索させるために、前記訪問度合を操作者に入力させることができる。また、前記旅行情報提供装置は、旅行情報用端末装置から与えられる前記訪問度合に応答して、前記旅行者の前記地域への訪問度合に応じた旅行情報を検索することができる。
【図面の簡単な説明】
【図１】本発明の実施の一形態である旅行計画装置１の電気的構成を示すブロック図である。
【図２】旅行計画装置１内の端末装置３における旅行情報検索条件の入力手法および旅行計画の提示手法を示すフローチャートである。
【図３】前記検索条件の入力のために、端末装置３内の端末側表示装置１７に表示される第１地域指定用画面４１を示す図である。
【図４】前記検索条件の入力のために、端末側表示装置１７に表示される第２地域指定用画面４６を示す図である。
【図５】前記検索条件の入力のために、端末側表示装置１７に表示される第３地域指定用画面４９を示す図である。
【図６】前記検索条件の入力のために、端末側表示装置１７に表示される条件入力用画面５２を示す図である。
【図７】前記旅行計画の提供のために、端末側表示装置１７に表示される旅行計画提供画面６１を示す図である。
【図８】前記旅行計画の提供のために、端末側表示装置１７に表示される旅行計画提供画面６２を示す図である。
【図９】端末装置３における旅行の良否の入力手順を示すフローチャートである。
【図１０】端末側表示装置１７に表示されるアンケート画面８１を示す図である。
【図１１】旅行計画装置１内の提供装置４において、旅行計画の立案に関する処理を示すフローチャートである。
【符号の説明】
１  旅行計画装置
３  端末装置
４  提供装置
１１  端末側入力装置
１３  端末側制御装置
１４  端末側通信装置
１７  端末側表示装置
２１  提供側通信装置
２２  データベース部
２３  提供側制御装置
２７  旅行情報データベース
２８  回数・頻度データベース
２９  良否情報データベース
【図１】
0004132236.tif 000007
【図２】
0004132236.tif 000008
【図３】
0004132236.tif 000009
【図４】
0004132236.tif 000010
【図５】
0004132236.tif 000011
【図６】
0004132236.tif 000012
【図７】
0004132236.tif 000013
【図８】
0004132236.tif 000014
【図９】
0004132236.tif 000015
【図１０】
0004132236.tif 000016
【図１１】
0004132236.tif 000017